(57)【要約】      （修正有）【課題】狭い口腔内の歯間部分であっても、デンタルフロスを適切に使用することを可能にする使い勝手が良好なデンタルフロスホルダを提供する。【解決手段】指通し用リング１０と、指通し用リング１０の外周上に連設された突出部２０と、を有し、突出部２０にはデンタルフロスを係合させるための係合溝２１が刻設されている。また、突出部２０の先端には、係合溝２１に係合させたデンタルフロスを挿通させるため挿通リング３０が設けられている。【選択図】図１
0003208908.tif 000002
【実用新案登録請求の範囲】
【請求項１】
指通し用リングと、前記指通し用リングの外周上に連設された突出部と、を有し、
前記突出部にはデンタルフロスを係合させるための係合溝が刻設されていることを特徴とするデンタルフロスホルダ。
【請求項２】
前記係合溝は、
前記突出部の正面側と背面側のそれぞれにおいて形成された、Ｘ字形をなす第１係合溝および前記第１係合溝の両端部分どうしを連通させた第２係合溝と、
前記第１係合溝および前記第２係合溝の両端部分どうしを前記突出部の正面側と背面側にそれぞれ連通させる第３係合溝と、を有していることを特徴とする請求項１記載のデンタルフロスホルダ。
【請求項３】
前記突出部の先端部分には、前記係合溝に係合させた前記デンタルフロスを挿通させるための挿通リングが設けられていることを特徴とする請求項１または２記載のデンタルフロスホルダ。
【請求項４】
前記挿通リングには、前記挿通リングの内外を連通させる連通部が形成されていることを特徴とする請求項３記載のデンタルフロスホルダ。
【考案の詳細な説明】
【技術分野】
【０００１】
本考案はデンタルフロスホルダに関する。
【背景技術】
【０００２】
歯みがきを行う際において、歯ブラシのみでは歯の汚れの６０％程度しか磨けていないといわれている。特に奥歯の隣接面（歯と歯の間）に挟まってしまった食片等は、通常の歯ブラシによるブラッシングだけでは除去できないことが多い。また、近年スメハラ（スメル−ハラスメント）といった言葉があるように、臭いに関するエチケットが重要視されている。このような臭いに関するエチケットとして代表的なものとして口臭対策がある。口臭対策においても歯みがきを適切に行うことは重要であり、通常の歯ブラシを用いた歯みがきに加え、デンタルフロスを用いた歯間磨きを行うことがより好ましいとされている。
【０００３】
従来このようなデンタルフロスを用いた歯間磨きを行う際においては、デンタルフロスの一方の端部を指に巻き付け用ホルダの使用が好ましい。特許文献１に開示されているような構成のものが提案されている。
【先行技術文献】
【特許文献】
【０００４】
【特許文献１】特開２０１０−１７８８９９号公報
【考案の概要】
【考案が解決しようとする課題】
【０００５】
特許文献１に開示されている構成のデンタルフロスホルダは、円筒状のハウジングと、フロス収容部と、フロス収容部から巻き出したフロスを保持するフロス保持部とを有し、通常の歯ブラシよりも大きなものになっている。このため、狭い口腔内における歯間部分に対してデンタルフロスを適切に使用することが困難になってしまうといった課題を有していた。また、デンタルフロスホルダを用いた場合、実質的に歯間磨きをするデンタルフロスが短くなるため、短時間でデンタルフロスが破断してしまい、経済的でないという課題もある。さらに、デンタルフロスホルダを用いずに使用者の指に直接デンタルフロスを巻き付けて歯間磨きを行うことも可能ではあるが、デンタルフロスの表面は滑り易いため、デンタルフロスを指に強く巻き付けなければならず、指先が痛くなってしまうといった課題もある。
【０００６】
そこで本考案は、狭い口腔内の歯間部分であっても、デンタルフロスを適切に使用することが可能な使い勝手が良好なデンタルフロスホルダの提供を目的としている。
【課題を解決するための手段】
【０００７】
上記課題を解決するために本考案者は鋭意研究を行った結果、以下の構成に想到した。すなわち、指通し用リングと、前記指通し用リングの外周上に連設された突出部と、を有し、前記突出部にはデンタルフロスを係合させるための係合溝が刻設されていることを特徴とするデンタルフロスホルダである。
【０００８】
これにより、デンタルフロスホルダを可及的に小型化することができるため、デンタルフロスを素手で使用した場合と同様の操作性を得ることができる。また、デンタルフロスの一方の端部をデンタルフロスホルダに確実に係合させているので、歯間磨き中にデンタルフロスの係合状態が解けてしまうことがなく、確実な歯間磨きをすることができる。
【０００９】
また、前記係合溝は、前記突出部の正面側と背面側のそれぞれにおいて形成された、Ｘ字形をなす第１係合溝および前記第１係合溝の両端部分どうしを連通させた第２係合溝と、前記第１係合溝および前記第２係合溝の両端部分どうしを前記突出部の正面側と背面側にそれぞれ連通させる第３係合溝と、を有していることが好ましい。
【００１０】
これにより、係合溝へのデンタルフロスの係合状態をより確実にすることができる。
【００１１】
また、前記突出部の先端部分には、前記係合溝に係合させた前記デンタルフロスを挿通させるための挿通リングが設けられていることが好ましい。
【００１２】
これにより、挿通リング内でデンタルフロスを自由に移動させることができるため、デンタルフロスに不意な力が作用せず、歯間磨き中にデンタルフロスの破断を防ぐことができる。
【００１３】
また、前記挿通リングには、前記挿通リングの内外を連通させる連通部が形成されていることが好ましい。
【００１４】
これによりデンタルフロスを容易に挿通リングに挿通させることができ、デンタルフロスホルダの使い勝手を向上させることができる。
【考案の効果】
【００１５】
本考案にかかる構成を採用することにより、歯間磨き中においてデンタルフロスが使用者の指を締め付けることがないから指先に痛みを感じることなく歯間磨きを行うことができる。また、使用者の指にデンタルフロスを巻き付けて使用する形態に近付けることができるので、狭い口腔内であっても確実に歯間磨きを行うことができる。また、使用者の好みに応じてデンタルフロスの長さを調整することができると共に、実際に歯間磨き部分として使用することができるデンタルフロスの長さを可及的に長くすることができるため、デンタルフロスの破断リスクを低減することができ、結果的にデンタルフロスの無駄を減らすことができ、経済的である。
【図面の簡単な説明】
【００１６】
【図１】本実施形態におけるデンタルフロスホルダの正面図である。
【図２】本実施形態におけるデンタルフロスホルダにデンタルフロスを係合させる際における状態の一例を示す正面図である。
【図３】本実施形態におけるデンタルフロスホルダにデンタルフロスを係合させる際における状態の一例を示す正面図である。
【図４】本実施形態におけるデンタルフロスホルダにデンタルフロスを係合させる際における状態の一例を示す正面図である。
【考案を実施するための形態】
【００１７】
以下、本考案におけるデンタルフロスホルダの実施形態について図面に基づいて具体的に説明する。
【００１８】
本実施形態におけるデンタルフロスホルダ５０は、使用者の指を挿通させる指通し用リング１０と、指通し用リング１０の外周上に連設され指通し用リング１０の径外方向に突出させるようにして形成された突出部２０と、突出部２０と一体に形成され、デンタルフロスＦを挿通させる挿通リング３０と、を有している。このようなデンタルフロスホルダ５０はポリプロピレン等に代表される合成樹脂により形成することができる。
【００１９】
本実施形態における指通し用リング１０は、外径寸法および内径寸法がそれぞれ３０ｍｍ，２０ｍｍである円形に形成されている。なお、指通し用リング１０は指を通すことができる形態および寸法であればよく、具体的な形態および寸法は特に限定されるものではない。
【００２０】
突出部２０は、指通し用リング１０の外周上における所要位置において指通し用リング１０と一体に形成されている。本実施形態にかかる突出部２０にはデンタルフロスＦを係合させるための係合溝２１が刻設されている。係合溝２１の表面には梨地状加工やゴム皮膜加工に代表されるすべり止め加工を施すこともできる。突出部２０には、図１に示すように、突出部２０を正面視した際における対角線に対応する位置に刻設され、Ｘ字形をなす第１係合溝２２と、第１係合溝２２の両端部分どうしを指通し用リング１０の外周縁に沿った方向で連通させる第２係合溝２４が刻設されている。
【００２１】
なお、図示は省略するが、指通し用リング１０の背面側にも指通し用リング１０の正面側と同様に第１係合溝２２および第２係合溝２４が刻設されている。指通し用リング１０の正面側の第１係合溝２２および第２係合溝２４の交点と、指通し用リング１０の背面側の第１係合溝２２および第２係合溝２４の交点とは第３係合溝２６により連通されている。このように本実施形態における係合溝２１は、互いに連通する第１係合溝２２と第２係合溝２４と第３係合溝２６とを有している。
【００２２】
また、突出部２０の先端部分には係合溝２１に係合させたデンタルフロスＦを挿通させるための挿通リング３０が設けられている。そして図１からも明らかなように、挿通リング３０には挿通リング３０の内外である内周３０Ａと外周３０Ｂとを連通させる連通部３２が形成されている。ここでは、連通部３２を突出部２０の先端側の第２係合溝２４と平行になる配列で形成した。
【００２３】
次に、デンタルフロスホルダ５０へのデンタルフロスＦの係合方法について説明する。まず、図２に示すように、デンタルフロスＦの端部を係合溝２１のいずれかの位置に位置合わせし、係合溝２１に沿ってデンタルフロスＦを突出部２０の外表面に巻回させる。係合溝２１に沿ってデンタルフロスＦを一部区間で重複させ、デンタルフロスＦを引っ張っても突出部２０からデンタルフロスＦが解けないように係合溝２１に係合させた後、図３に示すように、デンタルフロスＦを連通部３２から挿通リング３０に挿通させる。
【００２４】
図４は、デンタルフロスＦを係合させたデンタルフロスホルダ５０の正面図である。このようにしてデンタルフロスホルダ５０に係合されたデンタルフロスＦは、挿通リング３０の内周３０Ａに沿って自由に移動させることができる。これにより、歯間磨きの動作にあわせてデンタルフロスＦを適宜移動させることができ、デンタルフロスＦに無理な力が作用しないようにすることができ、デンタルフロスＦの破断を防止することができる点において好都合である。
【００２５】
このようにデンタルフロスＦの一方の端部をデンタルフロスホルダ５０に係合させた後、歯間磨きに必要なデンタルフロスＦを適宜巻き出し、デンタルフロスＦを切断し、デンタルフロスＦの他端部についても図４と同様にするか、使用者の指に巻き付ける等して歯間磨きの準備をすることができる。
【００２６】
このように所要長さに巻き出したデンタルフロスＦの一端部分または両端部分をデンタルフロスホルダ５０に係合させることで、滑り易いデンタルフロスＦであっても適切な張力を付与させた状態で歯間磨きに使用することができる。また、従来技術に比べて実際に歯間部分に摺動させるデンタルフロスＦを長くすることができるため、効率的な歯間磨きをすることができる。そして、本実施形態におけるデンタルフロスホルダ５０は簡易で小型な構成であるから、狭い口腔内であっても細かい作業がしやすく、使い勝手が良好である。当然、歯間磨き中においても指が痛くなってしまうことはない。
【００２７】
以上に、本考案にかかるデンタルフロスホルダ５０の実施形態について説明をしたが、本考案の技術的範囲は、以上の実施形態に限定されるものではなく、考案の要旨を変更しない範囲において各種の変更を施した構成であっても本考案の技術的範囲に属する。例えば、以上に説明した実施形態にかかるデンタルフロスホルダ５０は、指通し用リング１０と突出部２０に加え連通部３２が形成された挿通リング３０を有する形態であるが、連通部３２が形成されていない挿通リング３０の形態を採用することもできる。この場合であっても挿通リング３０にデンタルフロスＦを挿通させることは可能である。また、挿通リング３０の配設自体を省略した構成を採用することができる。
【００２８】
また、本実施形態における係合溝２１は、第１係合溝２２，第２係合溝２４，第３係合溝２６を有する形態について説明しているが、この形態に限定されるものではない。要は、突出部２０の外表面にデンタルフロスＦを係合させることができれば係合溝２１の構成は特に限定されるものではない。
【００２９】
また、本実施形態においては、デンタルフロスＦをいわゆる一本遣いする形態について説明しているが、この使用形態に限定されるものではない。デンタルフロスＦの一方の端部をデンタルフロスホルダ５０に係合させると共に、デンタルフロスＦを所要長さ巻き出した後、デンタルフロスＦを折り返してデンタルフロスＦの他端部を再びデンタルフロスホルダ５０に係合させてデンタルフロスＦを二本遣いすることもできる。
【符号の説明】
【００３０】
１０  指通し用リング，
２０  突出部，
２１  係合溝，２２  第１係合溝，２４  第２係合溝，２６  第３係合溝，
３０  挿通リング，３０Ａ  内周，３０Ｂ  外周，３２  連通部，
５０  デンタルフロスホルダ，
Ｆ  デンタルフロス
【図１】
0003208908.tif 000003
【図２】
0003208908.tif 000004
【図３】
0003208908.tif 000005
【図４】
0003208908.tif 000006